【手続補正書】
【提出日】令和3年10月12日(2021.10.12)
【手続補正１】
【補正対象書類名】特許請求の範囲
【補正対象項目名】全文
【補正方法】変更
【補正の内容】
【特許請求の範囲】
【請求項１】
加湿された呼吸ガスの流れを患者の気道に送達する気道圧支持システムのための加湿器であって、前記加湿器は、
入口及び出口を有する、ある体積の水を収容するように構成された水チャンバと、
ハウジングであり、その中に濾過媒体を収容するように構成されたハウジングを有し、さらに、前記水チャンバの出口の下流で流体的に接続される入口及び出口を有するフィルタと、
濾過メータであり、
前記フィルタの出口の下流で流体的に接続される入口、
出口、
前記入口と前記出口との間に延びる本体部分であり、前記濾過メータの入口から前記濾過メータの出口まで水を運ぶように構成された本体部分、及び
前記本体部分内に配置された機構であり、前記本体部分を通って運ばれる水の濾過データを測定するように構成された機構、
を含む濾過メータと、
導管であり、
前記呼吸ガスの流れを発生させるように構成されたガスフロージェネレータと流体的に接続するように構成された第１の端部、
前記患者の気道まで前記呼吸ガスの流れを送達するように構成された患者インターフェース装置と流体的に接続するように構成された反対側の第２の端部、及び
前記第１の端部と前記第２の端部との間に延びる内部経路を画定する壁部であり、前記内部経路は、前記第１の端部と前記第２の端部との間で前記呼吸ガスの流れを運ぶように構成されている、壁部、
を含む導管と、
前記濾過メータの出口と流体的に接続した入口を有し、前記水チャンバから受け、前記フィルタによって濾過され、前記濾過メータによって濾過データについて測定された水から水滴を生成するように構成された出口を有するノズルと、
（ｉ）前記内部経路と流体的に連結され、前記内部経路から離れるように延びるポケットを画定する環状の本体部分、及び（ｉｉ）前記本体部分から半径方向外側に延びる舌状部材を有する受け部材であって、前記受け部材は、舌状の溝機構を介して前記導管の壁部に連結され、それによって、前記受け部材の舌状部材は、前記導管の壁部に連結されたフレーム部材の溝付き領域に位置する、受け部材と、
前記受け部材のポケットを介して前記壁部に連結し、前記内部経路に曝露されたヒータープレートであり、前記ノズルの出口が、前記ポケット内及び前記ヒータープレートの上に配置され、前記ノズルから前記水滴を受けるように置かれたヒータープレートと、
を含む、加湿器。
【請求項２】
前記水チャンバの出口と前記ノズルとの間で流体的に接続されるポンプをさらに含む、請求項１に記載の加湿器。
【請求項３】
前記ポンプは、前記濾過メータの出口と前記ノズルとの間で流体的に接続されている、請求項２に記載の加湿器。
【請求項４】
前記水チャンバは、前記水チャンバの入口に選択的に連結されるキャップをさらに含み、前記キャップは、そこを通って画定されたベント通路を有する、請求項２に記載の加湿器。
【請求項５】
前記水チャンバは、前記水チャンバの出口に選択的に連結されるベースをさらに含み、前記ベースは、そこを通って画定された流体通路を有する、請求項４に記載の加湿器。
【請求項６】
前記フィルタのハウジングは、前記水チャンバに直接連結している、請求項２に記載の加湿器。
【請求項７】
前記水チャンバは、第１の位置から第２の位置まで折りたためるように構成されており、前記水チャンバが前記第２の位置にある場合、前記水チャンバの入口は、前記水チャンバの出口に対して内側に配置され且つ同心である、請求項２に記載の加湿器。
【請求項８】
前記濾過メータは、総溶解固形分メータである、請求項２に記載の加湿器。
【請求項９】
前記濾過メータの前記機構は、ガスフロージェネレータと電気的に接続されて、前記濾過データをガスフロージェネレータに伝えるように構成されている、請求項８に記載の加湿器。
【請求項１０】
加湿された呼吸ガスの流れを患者の気道に送達する気道圧支持システムであって、前記気道圧支持システムは、
患者インターフェース装置と、
前記患者の気道まで前記患者インターフェース装置を通って送達されることになる前記呼吸ガスの流れを発生させるように構成されたガスフロージェネレータと、
加湿器と、
を含み、前記加湿器は、
入口及び出口を有する、ある体積の水を収容するように構成された水チャンバと、
ハウジングであり、その中に濾過媒体を収容するように構成されたハウジングを有し、さらに、前記水チャンバの出口の下流で流体的に接続される入口及び出口を有するフィルタと、
濾過メータであり、
前記フィルタの出口の下流で流体的に接続される入口、
出口、
前記入口と前記出口との間に延びる本体部分であり、前記濾過メータの入口から前記濾過メータの出口まで水を運ぶように構成された本体部分、及び
前記本体部分内に配置された機構であり、前記本体部分を通って運ばれる水の濾過データを測定するように構成された機構、
を含む濾過メータと、
導管であり、
前記ガスフロージェネレータと流体的に接続される第１の端部、
前記患者インターフェース装置と流体的に接続される反対側の第２の端部、及び
前記第１の端部と前記第２の端部との間に延びる内部経路を画定する壁部であり、前記内部経路は、前記第１の端部と前記第２の端部との間で前記呼吸ガスの流れを運ぶように構成されている、壁部、
を含む導管と、
前記濾過メータの出口と流体的に接続した入口を有し、前記水チャンバから受け、前記フィルタによって濾過され、前記濾過メータによって濾過データについて測定された水から水滴を生成するように構成された出口を有するノズルと、
（ｉ）前記内部経路と流体的に連結され、前記内部経路から離れるように延びるポケットを画定する環状の本体部分、及び（ｉｉ）前記本体部分から半径方向外側に延びる舌状部材を有する受け部材であって、前記受け部材は、舌状の溝機構を介して前記導管の壁部に連結され、それによって、前記受け部材の舌状部材は、前記導管の壁部に連結されたフレーム部材の溝付き領域に位置する、受け部材と、
前記受け部材のポケットを介して前記壁部に連結し、前記内部経路に曝露されたヒータープレートであり、前記ノズルの出口が、前記ポケット内及び前記ヒータープレートの上に配置され、前記ノズルから前記水滴を受けるように置かれたヒータープレートと、
を含む、気道圧支持システム。
【請求項１１】
前記濾過メータは、総溶解固形分メータである、請求項１０に記載の気道圧支持システム。
【請求項１２】
前記濾過メータの機構は、前記ガスフロージェネレータと電気的に接続されて、前記濾過データを前記ガスフロージェネレータに伝える、請求項１１に記載の気道圧支持システム。
【請求項１３】
前記水チャンバの出口と前記ノズルとの間で流体的に接続されるポンプをさらに含む、請求項１２に記載の気道圧支持システム。
【請求項１４】
前記ポンプは、前記濾過メータの出口と前記ノズルとの間で流体的に接続されている、請求項１３に記載の気道圧支持システム。
【請求項１５】
前記水チャンバは、前記水チャンバの入口に選択的に連結されるキャップをさらに含み、前記キャップは、そこを通って画定されたベント通路を有する、請求項１２に記載の気道圧支持システム。
【請求項１６】
前記水チャンバは、前記水チャンバの出口に選択的に連結されるベースをさらに含み、前記ベースは、そこを通って画定された流体通路を有する、請求項１５に記載の気道圧支持システム。
【請求項１７】
前記フィルタのハウジングは、前記水チャンバに直接連結している、請求項１０に記載の気道圧支持システム。
【請求項１８】
前記水チャンバは、第１の位置から第２の位置まで折りたためるように構成されており、前記水チャンバが前記第２の位置にある場合、前記水チャンバの入口は、前記水チャンバの出口に対して内側に配置され且つ同心である、請求項１０に記載の気道圧支持システム。
【請求項１９】
前記濾過メータは、総溶解固形分メータである、請求項１０に記載の気道圧支持システム。
【請求項２０】
前記濾過メータの前記機構は、前記ガスフロージェネレータと電気的に接続されて、前記濾過データを前記ガスフロージェネレータに伝えるように構成されている、請求項１９に記載の気道圧支持システム。